(57)【要約】【課題】従来のＯＣＢ液晶表示ユニットの駆動回路においては、黒挿入イネーブル信号が必要とされているために、コントローラ側における信号制御が煩雑になってしまうという課題があった。【解決手段】黒挿入信号の階調の黒挿入用レジスタへの書き込みを指示する情報と黒挿入信号を出力すべきか否かを指示する情報とを含む黒挿入信号スタートパルスＢＳＴＨを発生し、黒挿入信号を出力するタイミングと映像信号を出力するタイミングとを指示する情報を含むＯＣＢ液晶駆動出力ロードパルスＳＴＢを発生するコントローラ回路１１１を有するコントローラ１１０と、発生される黒挿入信号スタートパルスＢＳＴＨと発生されるＯＣＢ液晶駆動出力ロードパルスＳＴＢとを利用して、ＯＣＢ液晶表示ユニットに対し黒挿入信号を出力するソースドライバ回路１２１を有するソースドライバ１２０とを備えた、ＯＣＢ液晶表示ユニットの駆動回路である。【選択図】図１
2007206454.tif 000002
【特許請求の範囲】
【請求項１】
ＯＣＢ液晶素子がマトリックス状に配置されたＯＣＢ液晶表示ユニットに対し、所定のタイミングで黒挿入信号と映像信号とを出力するためのＯＣＢ液晶表示ユニットの駆動回路であって、
前記黒挿入信号の階調の黒挿入用レジスタへの書き込みを指示する情報と前記黒挿入信号を出力すべきか否かを指示する情報とを含む第一信号を発生する第一信号発生ユニットと、前記黒挿入信号を出力するタイミングと前記映像信号を出力するタイミングとを指示する情報を含む第二信号を発生する第二信号発生ユニットとを有するコントローラと、
前記発生される第一信号と前記発生される第二信号とを利用して、前記ＯＣＢ液晶表示ユニットに対し前記黒挿入信号を出力する黒挿入信号出力ユニットを有するソースドライバとを備えた、ＯＣＢ液晶表示ユニットの駆動回路。
【請求項２】
前記第一信号は、前記黒挿入信号の前記階調の前記黒挿入用レジスタへの書き込みを指示するとともに、前記黒挿入信号を出力すべきことを指示するための期間でハイレベルをもつパルスであり、
前記第二信号は、前記黒挿入信号を出力するタイミングを指示するための期間と前記映像信号を出力するタイミングを指示するための期間とでハイレベルをもつパルスである請求項１記載の、ＯＣＢ液晶表示ユニットの駆動回路。
【請求項３】
前記ソースドライバは、前記第一信号と前記第二信号とのＡＮＤ出力を発生するＡＮＤ出力発生ユニットをさらに有し、
前記黒挿入信号出力ユニットは、前記発生されるＡＮＤ出力を利用して、前記黒挿入信号を出力する請求項２記載の、ＯＣＢ液晶表示ユニットの駆動回路。
【請求項４】
ＯＣＢ液晶素子がマトリックス状に配置されたＯＣＢ液晶表示ユニットに接続されたソースドライバに対し、所定のタイミングで黒挿入信号と映像信号とを出力させる制御を行うためのコントローラであって、
前記黒挿入信号の階調の黒挿入用レジスタへの書き込みを指示する情報と前記黒挿入信号を出力すべきか否かを指示する情報とを含む第一信号を発生する第一信号発生ユニットと、
前記黒挿入信号を出力するタイミングと前記映像信号を出力するタイミングとを指示する情報を含む第二信号を発生する第二信号発生ユニットとを備え、
前記発生される第一信号と前記発生される第二信号とは、前記ソースドライバにより前記黒挿入信号の生成に利用される、コントローラ。
【請求項５】
ＯＣＢ液晶素子がマトリックス状に配置されたＯＣＢ液晶表示ユニットに対し、コントローラから出力される信号に基づいて所定のタイミングで黒挿入信号と映像信号とを出力するためのソースドライバであって、
前記黒挿入信号の階調の黒挿入用レジスタへの書き込みを指示する情報と前記黒挿入信号を出力すべきか否かを指示する情報とを含む、前記コントローラから出力される第一信号と、前記黒挿入信号を出力するタイミングと前記映像信号を出力するタイミングとを指示する情報を含む、前記コントローラから出力される第二信号とを利用して、前記ＯＣＢ液晶表示ユニットに対し前記黒挿入信号を出力する黒挿入信号出力ユニットを備えた、ソースドライバ。
【請求項６】
ＯＣＢ液晶素子がマトリックス状に配置されたＯＣＢ液晶表示ユニットに対し、所定のタイミングで黒挿入信号と映像信号とを出力するためのＯＣＢ液晶表示ユニットの駆動方法であって、
前記黒挿入信号の階調の黒挿入用レジスタへの書き込みを指示する情報と前記黒挿入信号を出力すべきか否かを指示する情報とを含む第一信号を発生する第一信号発生ステップと、
前記黒挿入信号を出力するタイミングと前記映像信号を出力するタイミングとを指示する情報を含む第二信号を発生する第二信号発生ステップと、
前記発生される第一信号と前記発生される第二信号とを利用して、前記ＯＣＢ液晶表示ユニットに対し前記黒挿入信号を出力する黒挿入信号出力ステップとを備えた、ＯＣＢ液晶表示ユニットの駆動方法。
【請求項７】
請求項６記載のＯＣＢ液晶表示ユニットの駆動方法の、前記黒挿入信号の階調の黒挿入用レジスタへの書き込みを指示する情報と前記黒挿入信号を出力すべきか否かを指示する情報とを含む第一信号を発生する第一信号発生ステップと、前記黒挿入信号を出力するタイミングと前記映像信号を出力するタイミングとを指示する情報を含む第二信号を発生する第二信号発生ステップと、前記発生される第一信号と前記発生される第二信号とを利用して、前記ＯＣＢ液晶表示ユニットに対し前記黒挿入信号を出力する黒挿入信号出力ステップとをコンピュータに実行させるためのプログラム。
【請求項８】
請求項７記載のプログラムを担持した記録媒体であって、コンピュータにより処理可能な記録媒体。
【発明の詳細な説明】
【技術分野】
【０００１】
本発明は、ＯＣＢ（Ｏｐｔｉｃａｌｌｙ  Ｃｏｍｐｅｎｓａｔｅｄ  Ｂｅｎｄ）液晶表示ユニットの駆動回路、コントローラ、ソースドライバ、ＯＣＢ液晶表示ユニットの駆動方法、プログラム、および記録媒体に関するものである。
【背景技術】
【０００２】
はじめに、従来のＯＣＢ液晶表示ユニットの駆動回路について、従来のＯＣＢ液晶表示ユニットの駆動回路の構成図である図６を参照しながら具体的に説明する（例えば、特許文献１参照）。
【０００３】
従来のＯＣＢ液晶表示ユニットの駆動回路は、ＯＣＢ液晶素子がマトリックス状に配置されたＯＣＢ液晶表示ユニット（図示省略）に対し、所定のタイミングで黒挿入信号と映像信号とを出力するためのＯＣＢ液晶表示ユニットの駆動回路であって、コントローラ２１０と、ソースドライバ２２０とを備えている。
【０００４】
コントローラ２１０は、黒挿入信号の階調の黒挿入用レジスタ２２２への書き込みを指示するための期間でハイレベルをもつ黒挿入信号スタートパルスＢＳＴＨと、黒挿入信号を出力するタイミングを指示するための期間と映像信号を出力するタイミングを指示するための期間とでハイレベルをもつＯＣＢ液晶駆動出力ロードパルスＳＴＢと、黒挿入信号を出力すべきことを指示するための期間でローレベルをもつ黒挿入イネーブル信号ＢＥＮＢとを発生するコントローラ回路２１１を有するコントローラである。
【０００５】
ソースドライバ２２０は、黒挿入イネーブル信号ＢＥＮＢを利用して、ＯＣＢ液晶表示ユニットに対し黒挿入信号を出力するソースドライバ回路２２１を有するソースドライバである。
【０００６】
ここで、従来のＯＣＢ液晶表示ユニットの駆動回路の信号の波形の説明図である図７も参照しながら、従来のＯＣＢ液晶表示ユニットの駆動回路の構成についてより具体的に説明する。
【０００７】
はじめに、コントローラ回路２１１について説明する。
【０００８】
コントローラ回路２１１は、黒挿入信号スタートパルスＢＳＴＨと、映像信号スタートパルスＳＴＨと、差動映像信号および黒挿入信号（逆相）ＤＸＸＮと、差動映像信号および黒挿入信号（同相）ＤＸＸＰと、ＯＣＢ液晶駆動出力ロードパルスＳＴＢと、黒挿入イネーブル信号ＢＥＮＢとを発生し、黒挿入信号スタートパルスＢＳＴＨを利用して黒挿入信号の階調の黒挿入用レジスタ２２２への書き込みを行う回路である。
【０００９】
黒挿入信号スタートパルスＢＳＴＨは、黒挿入信号の階調の黒挿入用レジスタ１２２への書き込みを指示するための期間でハイレベルをもち、それ以外の期間でローレベルをもつパルスである。
【００１０】
映像信号スタートパルスＳＴＨは、一水平ラインごとの映像信号を出力すべきことを指示するための期間でハイレベルをもち、それ以外の期間でローレベルをもつパルスである。
【００１１】
差動映像信号および黒挿入信号（逆相）ＤＸＸＮは、差動映像信号および黒挿入信号（同相）ＤＸＸＰとは逆相の信号であって、黒挿入信号を出力するための期間で黒挿入信号を出力するための所定のレベルをもち、ＯＣＢ液晶表示ユニットの一水平ラインごとの差動映像信号を出力するための期間で一水平ラインごとの差動映像信号を出力するための所定のレベルをもつ信号である。
【００１２】
なお、差動映像信号および黒挿入信号（逆相）ＤＸＸＮが黒挿入信号を出力するための所定のレベルをもつ期間は、黒挿入信号スタートパルスＢＳＴＨがハイレベルからローレベルに立ち下がった時点から開始され、差動映像信号および黒挿入信号（逆相）ＤＸＸＮが一水平ラインごとの差動映像信号を出力するための所定のレベルをもつ期間は、映像信号スタートパルスＳＴＨがハイレベルからローレベルに立ち下がった時点から開始される。
【００１３】
また、差動映像信号および黒挿入信号（逆相）ＤＸＸＮが黒挿入信号を出力するための所定のレベルをもつ期間と差動映像信号および黒挿入信号（逆相）ＤＸＸＮが一水平ラインごとの差動映像信号を出力するための所定のレベルをもつ期間との間には、無効な期間が設けられている。
【００１４】
また、差動映像信号および黒挿入信号（逆相）ＤＸＸＮが一水平ラインごとの差動映像信号を出力するための所定のレベルをもつ期間同士の間にも、無効な期間が設けられている。
【００１５】
差動映像信号および黒挿入信号（同相）ＤＸＸＰは、差動映像信号および黒挿入信号（逆相）ＤＸＸＮとは逆相の信号であって、黒挿入信号を出力するための期間で黒挿入信号を出力するための所定のレベルをもち、ＯＣＢ液晶表示ユニットの一水平ラインごとの差動映像信号を出力するための期間で一水平ラインごとの差動映像信号を出力するための所定のレベルをもつ信号である。
【００１６】
なお、差動映像信号および黒挿入信号（同相）ＤＸＸＰが黒挿入信号を出力するための所定のレベルをもつ期間は、黒挿入信号スタートパルスＢＳＴＨがハイレベルからローレベルに立ち下がった時点から開始され、差動映像信号および黒挿入信号（同相）ＤＸＸＰが一水平ラインごとの差動映像信号を出力するための所定のレベルをもつ期間は、映像信号スタートパルスＳＴＨがハイレベルからローレベルに立ち下がった時点から開始される。
【００１７】
また、差動映像信号および黒挿入信号（同相）ＤＸＸＰが黒挿入信号を出力するための所定のレベルをもつ期間と差動映像信号および黒挿入信号（同相）ＤＸＸＰが一水平ラインごとの差動映像信号を出力するための所定のレベルをもつ期間との間には、無効な期間が設けられている。
【００１８】
また、差動映像信号および黒挿入信号（同相）ＤＸＸＰが一水平ラインごとの差動映像信号を出力するための所定のレベルをもつ期間同士の間にも、無効な期間が設けられている。
【００１９】
ＯＣＢ液晶駆動出力ロードパルスＳＴＢは、黒挿入信号を出力するタイミングを指示するための期間と一水平ラインごとの映像信号を出力するタイミングを指示するための期間とでハイレベルをもち、それ以外の期間でローレベルをもつパルスである。
【００２０】
黒挿入イネーブル信号ＢＥＮＢは、黒挿入信号を出力すべきことを指示するための期間でローレベルをもち、それ以外の期間でハイレベルをもつパルスである。
【００２１】
つぎに、ソースドライバ回路２２１について説明する。
【００２２】
ソースドライバ回路２２１は、黒挿入信号スタートパルスＢＳＴＨによって黒挿入用レジスタ２２２へ書き込まれた黒挿入信号の階調と、映像信号スタートパルスＳＴＨと、差動映像信号および黒挿入信号（逆相）ＤＸＸＮと、差動映像信号および黒挿入信号（同相）ＤＸＸＰと、ＯＣＢ液晶駆動出力ロードパルスＳＴＢと、黒挿入イネーブル信号ＢＥＮＢとを入力し、ＯＣＢ液晶表示ユニットに対しＯＣＢ液晶駆動出力を発生する回路である。
【００２３】
ＯＣＢ液晶駆動出力は、黒挿入信号を出力するための期間で黒挿入信号を出力するための所定のレベルをもち、ＯＣＢ液晶表示ユニットの一水平ラインごとの映像信号を出力するための期間で一水平ラインごとの映像信号を出力するための所定のレベルをもつ信号である。
【００２４】
なお、従来のＯＣＢ液晶表示ユニットの駆動回路のＯＣＢ液晶駆動出力の説明図である図８にも示されているように、ＯＣＢ液晶駆動出力が黒挿入信号を出力するための所定のレベルをもつ期間は、ＯＣＢ液晶駆動出力ロードパルスＳＴＢがハイレベルからローレベルに立ち下がり、黒挿入イネーブル信号ＢＥＮＢがローレベルである時点から開始され、ＯＣＢ液晶駆動出力が一水平ラインごとの差動映像信号を出力するための所定のレベルをもつ期間は、ＯＣＢ液晶駆動出力ロードパルスＳＴＢがハイレベルからローレベルに立ち下がり、黒挿入イネーブル信号ＢＥＮＢがハイレベルである時点から開始される。
【００２５】
つぎに、図６〜８を参照しながら、本実施の形態のＯＣＢ液晶表示ユニットの駆動回路の動作について説明する。
【００２６】
コントローラ回路２１１は、黒挿入信号スタートパルスＢＳＴＨと、映像信号スタートパルスＳＴＨと、差動映像信号および黒挿入信号（逆相）ＤＸＸＮと、差動映像信号および黒挿入信号（同相）ＤＸＸＰと、ＯＣＢ液晶駆動出力ロードパルスＳＴＢと、黒挿入イネーブル信号ＢＥＮＢとを発生し、黒挿入信号スタートパルスＢＳＴＨを利用して黒挿入信号の階調の黒挿入用レジスタ２２２への書き込みを行う。
【００２７】
ソースドライバ回路２２１は、黒挿入信号スタートパルスＢＳＴＨによって黒挿入用レジスタ２２２へ書き込まれた黒挿入信号の階調と、映像信号スタートパルスＳＴＨと、差動映像信号および黒挿入信号（逆相）ＤＸＸＮと、差動映像信号および黒挿入信号（同相）ＤＸＸＰと、ＯＣＢ液晶駆動出力ロードパルスＳＴＢと、黒挿入イネーブル信号ＢＥＮＢとを入力し、ＯＣＢ液晶表示ユニットに対しＯＣＢ液晶駆動出力を発生する。
【００２８】
ソースドライバ回路２２１は、ＯＣＢ液晶駆動出力が黒挿入信号を出力するための所定のレベルをもつ期間を、ＯＣＢ液晶駆動出力ロードパルスＳＴＢがハイレベルからローレベルに立ち下がり、黒挿入イネーブル信号ＢＥＮＢがローレベルである時点から開始させ、ＯＣＢ液晶駆動出力が一水平ラインごとの差動映像信号を出力するための所定のレベルをもつ期間を、ＯＣＢ液晶駆動出力ロードパルスＳＴＢがハイレベルからローレベルに立ち下がり、黒挿入イネーブル信号ＢＥＮＢがハイレベルである時点から開始させる。
【００２９】
このように、従来のＯＣＢ液晶表示ユニットの駆動回路においては、黒挿入イネーブル信号が必要であった。
【特許文献１】特開２００３−２８０６１７号公報
【発明の開示】
【発明が解決しようとする課題】
【００３０】
しかしながら、従来のＯＣＢ液晶表示ユニットの駆動回路においては、黒挿入イネーブル信号の信号制御を行わなければならず、コントローラ側における信号制御が煩雑になってしまうという第一の課題があった。
【００３１】
また、従来のＯＣＢ液晶表示ユニットの駆動回路においては、黒挿入イネーブル信号の信号伝送を行わなければならず、ソースドライバ側における信号入力端子の数が多くなってしまうという第二の課題があった。
【００３２】
本発明は、上記従来のこのような第一の課題を考慮し、コントローラ側における信号制御をより簡素にできるＯＣＢ液晶表示ユニットの駆動回路、コントローラ、ソースドライバ、ＯＣＢ液晶表示ユニットの駆動方法、プログラム、および記録媒体を提供することを第一の目的とする。
【００３３】
また、本発明は、上記従来のこのような第二の課題を考慮し、ソースドライバ側における信号入力端子の数をより少なくできるＯＣＢ液晶表示ユニットの駆動回路、コントローラ、ソースドライバ、ＯＣＢ液晶表示ユニットの駆動方法、プログラム、および記録媒体を提供することを第二の目的とする。
【課題を解決するための手段】
【００３４】
第１の本発明は、ＯＣＢ液晶素子がマトリックス状に配置されたＯＣＢ液晶表示ユニットに対し、所定のタイミングで黒挿入信号と映像信号とを出力するためのＯＣＢ液晶表示ユニットの駆動回路であって、
前記黒挿入信号の階調の黒挿入用レジスタへの書き込みを指示する情報と前記黒挿入信号を出力すべきか否かを指示する情報とを含む第一信号を発生する第一信号発生ユニットと、前記黒挿入信号を出力するタイミングと前記映像信号を出力するタイミングとを指示する情報を含む第二信号を発生する第二信号発生ユニットとを有するコントローラと、
前記発生される第一信号と前記発生される第二信号とを利用して、前記ＯＣＢ液晶表示ユニットに対し前記黒挿入信号を出力する黒挿入信号出力ユニットを有するソースドライバとを備えた、ＯＣＢ液晶表示ユニットの駆動回路である。
【００３５】
第２の本発明は、前記第一信号は、前記黒挿入信号の前記階調の前記黒挿入用レジスタへの書き込みを指示するとともに、前記黒挿入信号を出力すべきことを指示するための期間でハイレベルをもつパルスであり、
前記第二信号は、前記黒挿入信号を出力するタイミングを指示するための期間と前記映像信号を出力するタイミングを指示するための期間とでハイレベルをもつパルスである第１の本発明の、ＯＣＢ液晶表示ユニットの駆動回路である。
【００３６】
第３の本発明は、前記ソースドライバは、前記第一信号と前記第二信号とのＡＮＤ出力を発生するＡＮＤ出力発生ユニットをさらに有し、
前記黒挿入信号出力ユニットは、前記発生されるＡＮＤ出力を利用して、前記黒挿入信号を出力する第２の本発明の、ＯＣＢ液晶表示ユニットの駆動回路である。
【００３７】
第４の本発明は、ＯＣＢ液晶素子がマトリックス状に配置されたＯＣＢ液晶表示ユニットに接続されたソースドライバに対し、所定のタイミングで黒挿入信号と映像信号とを出力させる制御を行うためのコントローラであって、
前記黒挿入信号の階調の黒挿入用レジスタへの書き込みを指示する情報と前記黒挿入信号を出力すべきか否かを指示する情報とを含む第一信号を発生する第一信号発生ユニットと、
前記黒挿入信号を出力するタイミングと前記映像信号を出力するタイミングとを指示する情報を含む第二信号を発生する第二信号発生ユニットとを備え、
前記発生される第一信号と前記発生される第二信号とは、前記ソースドライバにより前記黒挿入信号の生成に利用される、コントローラである。
【００３８】
第５の本発明は、ＯＣＢ液晶素子がマトリックス状に配置されたＯＣＢ液晶表示ユニットに対し、コントローラから出力される信号に基づいて所定のタイミングで黒挿入信号と映像信号とを出力するためのソースドライバであって、
前記黒挿入信号の階調の黒挿入用レジスタへの書き込みを指示する情報と前記黒挿入信号を出力すべきか否かを指示する情報とを含む、前記コントローラから出力される第一信号と、前記黒挿入信号を出力するタイミングと前記映像信号を出力するタイミングとを指示する情報を含む、前記コントローラから出力される第二信号とを利用して、前記ＯＣＢ液晶表示ユニットに対し前記黒挿入信号を出力する黒挿入信号出力ユニットを備えた、ソースドライバである。
【００３９】
第６の本発明は、ＯＣＢ液晶素子がマトリックス状に配置されたＯＣＢ液晶表示ユニットに対し、所定のタイミングで黒挿入信号と映像信号とを出力するためのＯＣＢ液晶表示ユニットの駆動方法であって、
前記黒挿入信号の階調の黒挿入用レジスタへの書き込みを指示する情報と前記黒挿入信号を出力すべきか否かを指示する情報とを含む第一信号を発生する第一信号発生ステップと、
前記黒挿入信号を出力するタイミングと前記映像信号を出力するタイミングとを指示する情報を含む第二信号を発生する第二信号発生ステップと、
前記発生される第一信号と前記発生される第二信号とを利用して、前記ＯＣＢ液晶表示ユニットに対し前記黒挿入信号を出力する黒挿入信号出力ステップとを備えた、ＯＣＢ液晶表示ユニットの駆動方法である。
【００４０】
第７の本発明は、第６の本発明のＯＣＢ液晶表示ユニットの駆動方法の、前記黒挿入信号の階調の黒挿入用レジスタへの書き込みを指示する情報と前記黒挿入信号を出力すべきか否かを指示する情報とを含む第一信号を発生する第一信号発生ステップと、前記黒挿入信号を出力するタイミングと前記映像信号を出力するタイミングとを指示する情報を含む第二信号を発生する第二信号発生ステップと、前記発生される第一信号と前記発生される第二信号とを利用して、前記ＯＣＢ液晶表示ユニットに対し前記黒挿入信号を出力する黒挿入信号出力ステップとをコンピュータに実行させるためのプログラムである。
【００４１】
第８の本発明は、第７の本発明のプログラムを担持した記録媒体であって、コンピュータにより処理可能な記録媒体である。
【発明の効果】
【００４２】
本発明は、コントローラ側における信号制御をより簡素にできるという長所を有する。
【００４３】
また、本発明は、ソースドライバ側における信号入力端子の数をより少なくできるという長所を有する。
【発明を実施するための最良の形態】
【００４４】
以下、本発明の実施の形態について、図面を用いて説明する。
【００４５】
（実施の形態１）
はじめに、本発明の実施の形態１のＯＣＢ液晶表示ユニットの駆動回路の構成図である図１を主として参照しながら、本実施の形態のＯＣＢ液晶表示ユニットの駆動回路の構成について説明する。
【００４６】
本実施の形態のＯＣＢ液晶表示ユニットの駆動回路は、ＯＣＢ液晶素子がマトリックス状に配置されたＯＣＢ液晶表示ユニット（図示省略）に対し、所定のタイミングで黒挿入信号と映像信号とを出力するためのＯＣＢ液晶表示ユニットの駆動回路であって、コントローラ１１０と、ソースドライバ１２０とを備えている。
【００４７】
コントローラ１１０は、黒挿入信号の階調の黒挿入用レジスタ１２２への書き込みを指示するとともに、黒挿入信号を出力すべきことを指示するための期間でハイレベルをもつ黒挿入信号スタートパルスＢＳＴＨと、黒挿入信号を出力するタイミングを指示するための期間と映像信号を出力するタイミングを指示するための期間とでハイレベルをもつＯＣＢ液晶駆動出力ロードパルスＳＴＢとを発生するコントローラ回路１１１を有するコントローラである。
【００４８】
ソースドライバ１２０は、黒挿入信号スタートパルスＢＳＴＨとＯＣＢ液晶駆動出力ロードパルスＳＴＢとのＡＮＤ出力を発生するＡＮＤ回路１２３と、発生されるＡＮＤ出力を利用して、ＯＣＢ液晶表示ユニットに対し黒挿入信号を出力するソースドライバ回路１２１とを有するソースドライバである。
【００４９】
なお、コントローラ回路１１１は、本発明の第一信号発生ユニットと第二信号発生ユニットとを含むユニットに対応する。
【００５０】
また、黒挿入信号スタートパルスＢＳＴＨは、本発明の第一信号に対応する。また、ＯＣＢ液晶駆動出力ロードパルスＳＴＢは、本発明の第二信号に対応する。
【００５１】
また、ソースドライバ回路１２１は、本発明の黒挿入信号出力ユニットに対応する。また、ＡＮＤ回路１２３は、本発明のＡＮＤ出力発生ユニットに対応する。
【００５２】
ここで、本発明の実施の形態１のＯＣＢ液晶表示ユニットの駆動回路の信号の波形の説明図である図２も参照しながら、本実施の形態のＯＣＢ液晶表示ユニットの駆動回路の構成についてより具体的に説明する。
【００５３】
はじめに、コントローラ回路１１１について説明する。
【００５４】
コントローラ回路１１１は、黒挿入信号スタートパルスＢＳＴＨと、映像信号スタートパルスＳＴＨと、差動映像信号および黒挿入信号（逆相）ＤＸＸＮと、差動映像信号および黒挿入信号（同相）ＤＸＸＰと、ＯＣＢ液晶駆動出力ロードパルスＳＴＢとを発生し、黒挿入信号スタートパルスＢＳＴＨを利用して黒挿入信号の階調の黒挿入用レジスタ１２２への書き込みを行う回路である。
【００５５】
黒挿入信号スタートパルスＢＳＴＨは、黒挿入信号の階調の黒挿入用レジスタ１２２への書き込みを指示するとともに、黒挿入信号を出力すべきことを指示するための期間でハイレベルをもち、それ以外の期間でローレベルをもつパルスである。
【００５６】
映像信号スタートパルスＳＴＨは、一水平ラインごとの映像信号を出力すべきことを指示するための期間でハイレベルをもち、それ以外の期間でローレベルをもつパルスである。
【００５７】
差動映像信号および黒挿入信号（逆相）ＤＸＸＮは、差動映像信号および黒挿入信号（同相）ＤＸＸＰとは逆相の信号であって、黒挿入信号を出力するための期間で黒挿入信号を出力するための所定のレベルをもち、ＯＣＢ液晶表示ユニットの一水平ラインごとの差動映像信号を出力するための期間で一水平ラインごとの差動映像信号を出力するための所定のレベルをもつ信号である。
【００５８】
なお、差動映像信号および黒挿入信号（逆相）ＤＸＸＮが黒挿入信号を出力するための所定のレベルをもつ期間は、黒挿入信号スタートパルスＢＳＴＨがハイレベルからローレベルに立ち下がった時点から開始され、差動映像信号および黒挿入信号（逆相）ＤＸＸＮが一水平ラインごとの差動映像信号を出力するための所定のレベルをもつ期間は、映像信号スタートパルスＳＴＨがハイレベルからローレベルに立ち下がった時点から開始される。
【００５９】
また、差動映像信号および黒挿入信号（逆相）ＤＸＸＮが黒挿入信号を出力するための所定のレベルをもつ期間と差動映像信号および黒挿入信号（逆相）ＤＸＸＮが一水平ラインごとの差動映像信号を出力するための所定のレベルをもつ期間との間には、無効な期間が設けられている。
【００６０】
差動映像信号および黒挿入信号（同相）ＤＸＸＰは、差動映像信号および黒挿入信号（逆相）ＤＸＸＮとは逆相の信号であって、黒挿入信号を出力するための期間で黒挿入信号を出力するための所定のレベルをもち、ＯＣＢ液晶表示ユニットの一水平ラインごとの差動映像信号を出力するための期間で一水平ラインごとの差動映像信号を出力するための所定のレベルをもつ信号である。
【００６１】
なお、差動映像信号および黒挿入信号（同相）ＤＸＸＰが黒挿入信号を出力するための所定のレベルをもつ期間は、黒挿入信号スタートパルスＢＳＴＨがハイレベルからローレベルに立ち下がった時点から開始され、差動映像信号および黒挿入信号（同相）ＤＸＸＰが一水平ラインごとの差動映像信号を出力するための所定のレベルをもつ期間は、映像信号スタートパルスＳＴＨがハイレベルからローレベルに立ち下がった時点から開始される。
【００６２】
また、差動映像信号および黒挿入信号（同相）ＤＸＸＰが黒挿入信号を出力するための所定のレベルをもつ期間と差動映像信号および黒挿入信号（同相）ＤＸＸＰが一水平ラインごとの差動映像信号を出力するための所定のレベルをもつ期間との間には、無効な期間が設けられている。
【００６３】
ＯＣＢ液晶駆動出力ロードパルスＳＴＢは、黒挿入信号を出力するタイミングを指示するための期間と一水平ラインごとの映像信号を出力するタイミングを指示するための期間とでハイレベルをもち、それ以外の期間でローレベルをもつパルスである。
【００６４】
つぎに、ＡＮＤ回路１２３について説明する。
【００６５】
ＡＮＤ回路１２３は、黒挿入信号スタートパルスＢＳＴＨと、ＯＣＢ液晶駆動出力ロードパルスＳＴＢとを入力し、黒挿入信号スタートパルスＢＳＴＨとＯＣＢ液晶駆動出力ロードパルスＳＴＢとのＡＮＤ出力を発生する回路である。
【００６６】
したがって、本発明の実施の形態１のＯＣＢ液晶表示ユニットの駆動回路のＡＮＤ出力の説明図である図３に示されているように、ＡＮＤ出力は、黒挿入信号スタートパルスＢＳＴＨとＯＣＢ液晶駆動出力ロードパルスＳＴＢとがともにハイレベルをもつ期間でハイレベルをもち、それ以外の期間でローレベルをもつパルスである。
【００６７】
つぎに、ソースドライバ回路１２１について説明する。
【００６８】
ソースドライバ回路１２１は、黒挿入信号スタートパルスＢＳＴＨによって黒挿入用レジスタ１２２へ書き込まれた黒挿入信号の階調と、映像信号スタートパルスＳＴＨと、差動映像信号および黒挿入信号（逆相）ＤＸＸＮと、差動映像信号および黒挿入信号（同相）ＤＸＸＰと、ＯＣＢ液晶駆動出力ロードパルスＳＴＢと、ＡＮＤ出力とを入力し、ＯＣＢ液晶表示ユニットに対しＯＣＢ液晶駆動出力を発生する回路である。
【００６９】
ＯＣＢ液晶駆動出力は、黒挿入信号を出力するための期間で黒挿入信号を出力するための所定のレベルをもち、ＯＣＢ液晶表示ユニットの一水平ラインごとの映像信号を出力するための期間で一水平ラインごとの映像信号を出力するための所定のレベルをもつ信号である。
【００７０】
なお、本発明の実施の形態１のＯＣＢ液晶表示ユニットの駆動回路のＯＣＢ液晶駆動出力の説明図である図４にも示されているように、ＯＣＢ液晶駆動出力が黒挿入信号を出力するための所定のレベルをもつ期間は、ＯＣＢ液晶駆動出力ロードパルスＳＴＢがハイレベルからローレベルに立ち下がり、ＡＮＤ出力がハイレベルからローレベルに立ち下がった時点から開始され、ＯＣＢ液晶駆動出力が一水平ラインごとの差動映像信号を出力するための所定のレベルをもつ期間は、ＯＣＢ液晶駆動出力ロードパルスＳＴＢがハイレベルからローレベルに立ち下がり、ＡＮＤ出力がローレベルである時点から開始される。
【００７１】
つぎに、図１〜４を参照しながら、本実施の形態のＯＣＢ液晶表示ユニットの駆動回路の動作について説明する。
【００７２】
なお、本実施の形態のＯＣＢ液晶表示ユニットの駆動回路の動作について説明しながら、本発明のＯＣＢ液晶表示ユニットの駆動方法の一実施の形態についても説明する。
【００７３】
コントローラ回路１１１は、黒挿入信号スタートパルスＢＳＴＨと、映像信号スタートパルスＳＴＨと、差動映像信号および黒挿入信号（逆相）ＤＸＸＮと、差動映像信号および黒挿入信号（同相）ＤＸＸＰと、ＯＣＢ液晶駆動出力ロードパルスＳＴＢとを発生し、黒挿入信号スタートパルスＢＳＴＨを利用して黒挿入信号の階調の黒挿入用レジスタ１２２への書き込みを行う。
【００７４】
ＡＮＤ回路１２３は、黒挿入信号スタートパルスＢＳＴＨと、ＯＣＢ液晶駆動出力ロードパルスＳＴＢとを入力し、黒挿入信号スタートパルスＢＳＴＨとＯＣＢ液晶駆動出力ロードパルスＳＴＢとのＡＮＤ出力を発生する。
【００７５】
ソースドライバ回路１２１は、黒挿入信号スタートパルスＢＳＴＨによって黒挿入用レジスタ１２２へ書き込まれた黒挿入信号の階調と、映像信号スタートパルスＳＴＨと、差動映像信号および黒挿入信号（逆相）ＤＸＸＮと、差動映像信号および黒挿入信号（同相）ＤＸＸＰと、ＯＣＢ液晶駆動出力ロードパルスＳＴＢと、ＡＮＤ出力とを入力し、ＯＣＢ液晶表示ユニットに対しＯＣＢ液晶駆動出力を発生する。
【００７６】
ソースドライバ回路１２１は、ＯＣＢ液晶駆動出力が黒挿入信号を出力するための所定のレベルをもつ期間を、ＯＣＢ液晶駆動出力ロードパルスＳＴＢがハイレベルからローレベルに立ち下がり、ＡＮＤ出力がハイレベルからローレベルに立ち下がった時点から開始させ、ＯＣＢ液晶駆動出力が一水平ラインごとの差動映像信号を出力するための所定のレベルをもつ期間を、ＯＣＢ液晶駆動出力ロードパルスＳＴＢがハイレベルからローレベルに立ち下がり、ＡＮＤ出力がローレベルである時点から開始させる。
【００７７】
このように、本実施の形態のＯＣＢ液晶表示ユニットの駆動回路においては、黒挿入イネーブル信号が不要である。
【００７８】
したがって、本実施の形態のＯＣＢ液晶表示ユニットの駆動回路では、コントローラ１１０側における信号制御をより簡素にできる。
【００７９】
また、本実施の形態のＯＣＢ液晶表示ユニットの駆動回路では、ソースドライバ１２０側における信号入力端子の数をより少なくできる。
【００８０】
以上においては、本実施の形態１について詳細に説明を行った。
【００８１】
（Ａ）なお、上述した実施の形態１においては、黒挿入信号スタートパルスＢＳＴＨとＯＣＢ液晶駆動出力ロードパルスＳＴＢとのＡＮＤ出力が発生され、ＯＣＢ液晶駆動出力が黒挿入信号を出力するための所定のレベルをもつ期間は、ＯＣＢ液晶駆動出力ロードパルスＳＴＢがハイレベルからローレベルに立ち下がり、ＡＮＤ出力がハイレベルからローレベルに立ち下がった時点から開始された。
【００８２】
しかし、これに限らず、たとえば、本発明の別の実施の形態のＯＣＢ液晶表示ユニットの駆動回路の信号の波形の説明図である図５にも示されているように、黒挿入信号スタートパルスＢＳＴＨとＯＣＢ液晶駆動出力ロードパルスＳＴＢとのＡＮＤ出力が所定のタイミングだけ遅延された遅延ＡＮＤ出力が発生され、ＯＣＢ液晶駆動出力が黒挿入信号を出力するための所定のレベルをもつ期間は、ＯＣＢ液晶駆動出力ロードパルスＳＴＢがハイレベルからローレベルに立ち下がり、遅延ＡＮＤ出力がハイレベルである時点から開始されてもよい。
【００８３】
要するに、黒挿入信号の階調の黒挿入用レジスタへの書き込みを指示する情報と黒挿入信号を出力すべきか否かを指示する情報とを含む第一信号が、発生され、黒挿入信号を出力するタイミングと映像信号を出力するタイミングとを指示する情報を含む第二信号が、発生され、黒挿入信号が、発生される第一信号と発生される第二信号とを利用して、ＯＣＢ液晶表示ユニットに対し出力されればよい。
【００８４】
（Ｂ）また、本発明のプログラムは、上述した本発明のＯＣＢ液晶表示ユニットの駆動方法の全部または一部のステップの動作をコンピュータにより実行させるためのプログラムであって、コンピュータと協働して動作するプログラムである。
【００８５】
また、本発明の記録媒体は、上述した本発明のＯＣＢ液晶表示ユニットの駆動方法の全部または一部のステップの全部または一部の動作をコンピュータにより実行させるためのプログラムを記録した記録媒体であり、コンピュータにより読み取り可能かつ、読み取られた前記プログラムが前記コンピュータと協動して前記動作を実行する記録媒体である。
【００８６】
なお、本発明の上記「一部のステップ」とは、それらの複数のステップの内の、一つまたは幾つかのステップを意味する。
【００８７】
また、本発明の上記「ステップの動作」とは、前記ステップの全部または一部の動作を意味する。
【００８８】
また、本発明のプログラムの一利用形態は、コンピュータにより読み取り可能な、ＲＯＭなどの記録媒体に記録され、コンピュータと協働して動作する態様であっても良い。
【００８９】
また、上述した本発明のコンピュータは、ＣＰＵなどの純然たるハードウェアに限らず、ファームウェアや、ＯＳ、更に周辺機器を含むものであっても良い。
【００９０】
なお、以上説明した様に、本発明の構成は、ソフトウェア的に実現しても良いし、ハードウェア的に実現しても良い。
【産業上の利用可能性】
【００９１】
本発明は、コントローラ側における信号制御をより簡素にできるＯＣＢ液晶表示ユニットの駆動回路、コントローラ、ソースドライバ、ＯＣＢ液晶表示ユニットの駆動方法、プログラム、および記録媒体を提供でき、ＯＣＢ液晶表示システムなどとして有用である。
【００９２】
また、本発明は、ソースドライバ側における信号入力端子の数をより少なくできるＯＣＢ液晶表示ユニットの駆動回路、コントローラ、ソースドライバ、ＯＣＢ液晶表示ユニットの駆動方法、プログラム、および記録媒体を提供でき、ＯＣＢ液晶表示システムなどとして有用である。
【図面の簡単な説明】
【００９３】
【図１】本発明の実施の形態１のＯＣＢ液晶表示ユニットの駆動回路の構成図
【図２】本発明の実施の形態１のＯＣＢ液晶表示ユニットの駆動回路の信号の波形の説明図
【図３】本発明の実施の形態１のＯＣＢ液晶表示ユニットの駆動回路のＡＮＤ出力の説明図
【図４】本発明の実施の形態１のＯＣＢ液晶表示ユニットの駆動回路のＯＣＢ液晶駆動出力の説明図
【図５】本発明の別の実施の形態のＯＣＢ液晶表示ユニットの駆動回路の信号の波形の説明図
【図６】従来のＯＣＢ液晶表示ユニットの駆動回路の構成図
【図７】従来のＯＣＢ液晶表示ユニットの駆動回路の信号の波形の説明図
【図８】従来のＯＣＢ液晶表示ユニットの駆動回路のＯＣＢ液晶駆動出力の説明図
【符号の説明】
【００９４】
１１０  コントローラ
１１１  コントローラ回路
１２０  ソースドライバ
１２１  ソースドライバ回路
１２２  黒挿入用レジスタ
１２３  ＡＮＤ回路
ＢＳＴＨ  黒挿入信号スタートパルス
ＳＴＨ  映像信号スタートパルス
ＤＸＸＮ  差動映像信号および黒挿入信号（逆相）
ＤＸＸＰ  差動映像信号および黒挿入信号（同相）
ＳＴＢ  ＯＣＢ液晶駆動出力ロードパルス
【図１】
2007206454.tif 000003
【図２】
2007206454.tif 000004
【図３】
2007206454.tif 000005
【図４】
2007206454.tif 000006
【図５】
2007206454.tif 000007
【図６】
2007206454.tif 000008
【図７】
2007206454.tif 000009
【図８】
2007206454.tif 000010